(57)【要約】【課題】バリエーションの広がりを持たせることの可能なカードと、そのようなカードを用いてバリエーションの広がりを持たせる情報処理を実現することの可能な情報処理装置および情報処理プログラムとを提供する。【解決手段】カードは、１または複数の基材と、１または複数の基材のうちの１つの基材である第１基材と平行に配置された１または複数のセンサと、１または複数の基材のうちの１つの基材である第２基材上に配置された回路とを備えている。各センサは、第１基材の湾曲と相関のある第１信号を出力する。回路は、固有情報に関する第２信号を、外部からの電圧印加に応じて出力する。【選択図】図９
2014119780.tif 000002
【特許請求の範囲】
【請求項１】
１または複数の基材と、
前記１または複数の基材のうちの１つの基材である第１基材と平行に配置され、前記第１基材の湾曲と相関のある第１信号を出力する１または複数のセンサと、
前記１または複数の基材のうちの１つの基材である第２基材上に配置され、固有情報に関する第２信号を、外部からの電圧印加に応じて出力する回路と
を備えたカード。
【請求項２】
前記１または複数のセンサと、前記回路とは、互いに同一層内に設けられている
請求項１に記載のカード。
【請求項３】
前記複数の基材を備え、
前記第１基材と前記第２基材とは、同一であり、
前記複数の基材のうちの前記第１基材および前記第２基材を除く少なくとも１つの基材が、前記１または複数のセンサおよび前記回路の上面を覆っている
請求項２に記載のカード。
【請求項４】
各センサは、前記第１基材の湾曲に伴って湾曲することにより当該センサの上面と下面との間に電位差を生じる素子であり、
当該カードは、
前記上面に電気的に接続された第１配線と、
前記下面に電気的に接続された第２配線と、
前記第１配線に電気的に接続されるとともに前記第１基材の端縁に配置された第１端子と、
前記第２配線に電気的に接続されるとともに前記第１基材の端縁に配置された第２端子と
を備えた
請求項３に記載のカード。
【請求項５】
前記回路は、前記第２基材への印刷によって形成された印刷パターンであり、
当該カードは、前記印刷パターンに電気的に接続されるとともに前記第２基材の端縁に配置された複数の第３端子を備えた
請求項３に記載のカード。
【請求項６】
前記回路は、
１または複数の断線箇所を有する複数の回路ブロックが並列接続された並列回路と、
前記１または複数の断線箇所のうちの全部または一部を導通させる導電性部材と
を有する
請求項５に記載のカード。
【請求項７】
前記回路は、抵抗値の互いに異なる複数の回路ブロックが並列接続された並列回路を有する
請求項５に記載のカード。
【請求項８】
基材の湾曲と相関のある第１信号を出力する１または複数のセンサを備えた１または複数のカードと着脱可能に接続される１または複数の接続部を介して前記第１信号を読み取る読取部と、
前記読取部で読み取られた前記第１信号に基づいて所定の制御信号を生成する生成部と
を備えた
情報処理装置。
【請求項９】
前記１または複数のカードは、固有情報に関する第２信号を外部からの電圧印加に応じて出力する回路を備え、
前記読取部は、前記１または複数の接続部を介して前記第２信号を読み取り、
前記生成部は、前記第１信号および前記第２信号と、前記固有情報と関連付けられた第１関連情報とに基づいて前記所定の制御信号を生成する
請求項８に記載の情報処理装置。
【請求項１０】
前記生成部は、前記１つのカードから取得された情報に、複数種類の前記第１信号が含まれている場合には、前記複数種類の第１信号と関連付けられた第２関連情報も用いて、前記所定の制御信号を生成する
請求項８に記載の情報処理装置。
【請求項１１】
前記生成部は、前記複数のカードのうちの１つのカードである第１カードから取得した前記第１信号を用いて前記所定の制御信号を生成する際に、前記複数のカードのうちの前記第１カードとは異なる１または複数の第２カードから取得した情報も用いて、前記所定の制御信号を生成する
請求項８に記載の情報処理装置。
【請求項１２】
前記生成部は、前記第１信号の取得タイミングまたは取得状況によって内容が変化し得るパラメータも用いて、前記所定の制御信号を生成する
請求項８に記載の情報処理装置。
【請求項１３】
接続部は外付け
前記１または複数の接続部は、前記読取部および前記生成部とは別体で設けられている
請求項８に記載の情報処理装置。
【請求項１４】
基材の湾曲と相関のある第１信号を出力する１または複数のセンサを備えた１または複数のカードと着脱可能に接続される１または複数の接続部を介して前記第１信号を読み取ることと、
読み取った前記第１信号に基づいて所定の制御信号を生成すること
をコンピュータに実行させる
情報処理プログラム。
【請求項１５】
前記１または複数のカードは、固有情報に関する第２信号を外部からの電圧印加に応じて出力する回路を備え、
当該情報処理プログラムは、
前記１または複数の接続部を介して前記前記１または複数のカードに対して所定の電圧を印加させて前記第２信号を読み取ることと、
読み取った前記第１信号および前記第２信号に基づいて前記所定の制御信号を生成すること
をコンピュータに実行させる
請求項１４に記載の情報処理装置。
【請求項１６】
前記１つのカードから取得された情報に、複数種類の前記第１信号が含まれている場合には、前記複数種類の第１信号と関連付けられた第２関連情報も用いて、前記所定の制御信号を生成することをコンピュータに実行させる
請求項１４に記載の情報処理プログラム。
【請求項１７】
前記複数のカードのうちの１つのカードである第１カードから取得した前記第１信号を用いて前記所定の制御信号を生成する際に、前記複数のカードのうちの前記第１カードとは異なる１または複数の第２カードから取得した情報も用いて、前記所定の制御信号を生成することをコンピュータに実行させる
請求項１４に記載の情報処理プログラム。
【請求項１８】
前記第１信号の取得タイミングまたは取得状況によって内容が変化し得るパラメータも用いて、前記所定の制御信号を生成することをコンピュータに実行させる
請求項１４に記載の情報処理プログラム。
【発明の詳細な説明】
【技術分野】
【０００１】
本技術は、固有情報を有するカード、ならびにカードの固有情報を利用した情報処理装置および情報処理プログラムに関する。
【背景技術】
【０００２】
トレーディングカードゲーム（Trading Card Game：ＴＣＧ）と呼ばれる、専用のカードを用いて行うカードゲームが近年、流行している。ＴＣＧは、海外の一部では、コレクタブルカードゲーム（Collectable Card Game：ＣＣＧ）と呼ばれている。ＴＧＣでは、各プレーヤが、収集したカードを持ち寄り、決められたルールに則してゲームを楽しむ。最近では、ゲームをより複雑化し、バリエーションを与える方法として、カードと電子ゲーム機を組み合わせたトレーディングカードアーケードゲーム（Trading Card Arcade Game：ＴＣＡＧ）が開発されている。
【０００３】
ＴＣＡＧでは、カードに固有情報が埋め込まれており、カードに埋め込まれた固有情報を電子ゲーム機が読み取ることにより、固有情報に応じたゲームまたはゲーム展開が提供される。そのため、ＴＣＡＧでは、あたかもカードが個別に違った機能を持っているかのごとき体験をプレーヤに提供することが可能である。カードに固有情報を埋め込む方法としては、例えば、ＲＦＩＤ（特許文献１参照）や、バーコードなどが用いられる。
【先行技術文献】
【特許文献】
【０００４】
【特許文献１】特開２００５−７３７１１１号公報
【発明の概要】
【発明が解決しようとする課題】
【０００５】
しかし、カードに固有情報を埋め込むだけでは、バリエーションの広がりがカードの種類に制限されてしまうので、それ以上の飛躍的なゲームの複雑化は容易ではないという問題があった。バリエーションの広がりがカードの種類に制限されてしまう点は、カードをゲーム以外の用途で使う場合でも問題になり得る。
【０００６】
本技術はかかる問題点に鑑みてなされたものであり、その目的は、バリエーションの広がりを持たせることの可能なカードと、そのようなカードを用いてバリエーションの広がりを持たせる情報処理を実現することの可能な情報処理装置および情報処理プログラムとを提供することにある。
【課題を解決するための手段】
【０００７】
本技術のカードは、１または複数の基材と、１または複数の基材のうちの１つの基材である第１基材と平行に配置された１または複数のセンサと、１または複数の基材のうちの１つの基材である第２基材上に配置された回路とを備えている。各センサは、第１基材の湾曲と相関のある第１信号を出力する。回路は、固有情報に関する第２信号を、外部からの電圧印加に応じて出力する。ここで、第１基材と、第２基材とが、互いに同一であってもよいし、互いに異なっていてもよい。
【０００８】
本技術のカードでは、基材の湾曲と相関のある信号が１または複数のセンサから出力され、固有情報に関する信号が外部からの電圧印加に応じて回路から出力される。このように、本技術のカードでは、カード内部から、カードの曲げ情報と固有情報を読み出すことが可能となっている。
【０００９】
本技術の情報処理装置は、読取部と、生成部とを備えている。読取部は、１または複数のカードと着脱可能に接続される１または複数の接続部を介して所定の情報を読み出す。生成部は、読取部で読み取られ所定の情報と、固有情報と関連付けられた第１関連情報とに基づいて所定の制御信号を生成する。ここで、各カードは、基材の湾曲と相関のある第１信号を出力する１または複数のセンサと、固有情報に関する第２信号を外部からの電圧印加に応じて出力する回路とを備えている。また、「所定の情報」とは、第１信号および第２信号を指している。
【００１０】
本技術の情報処理プログラムは、以下の２つの手順をコンピュータに実行させる。
（Ａ）基材の湾曲と相関のある第１信号を出力する１または複数のセンサと、固有情報に関する第２信号を外部からの電圧印加に応じて出力する回路とを備えた１または複数のカードと着脱可能に接続される１または複数の接続部に所定の電圧を印加して、第１信号および前記第２信号を読み出すこと
（Ｂ）読みだした第１信号および第２信号と、固有情報と関連付けられた第１関連情報とに基づいて所定の制御信号を生成すること
【００１１】
本技術の情報処理装置および情報処理プログラムでは、カード内部から、カードの曲げ情報と固有情報が読み出され、読み出されたそれらの情報を用いて所定の制御信号が生成される。
【発明の効果】
【００１２】
本技術のカードによれば、カード内部から、カードの曲げ情報と固有情報を読み出すことができるようにしたので、バリエーションの広がりをカードの曲げ情報によって広げることが可能である。
【００１３】
本技術の情報処理装置および情報処理プログラムによれば、カード内部から、カードの曲げ情報と固有情報を読み出すようにしたので、バリエーションの広がりをカードの曲げ情報によって広げることが可能である。
【図面の簡単な説明】
【００１４】
【図１】本技術による一実施の形態に係る情報処理ネットワークの概略構成図である。
【図２】図１の情報処理装置の機能ブロックの一例を表す図である。
【図３】図１の情報処理装置の機能ブロックの他の例を表す図である。
【図４】図２、図３の関連情報の一例を表す図である。
【図５Ａ】図１のカードを「曲げる」様子を表す図である。
【図５Ｂ】図１のカードを「捻じる」様子を表す図である。
【図５Ｃ】図１のカードを「弾く」様子を表す図である。
【図６】図１の接続部およびカードの構成の一例を表す図である。
【図７Ａ】図６のカードの電極と、図６の接続部の電極との、正面側の位置関係の一例を表す図である。
【図７Ｂ】図６のカードの電極と、図６の接続部の電極との、背面側の位置関係の一例を表す図である。
【図８Ａ】図６のカードの電極と、図６の接続部の電極との、正面側の位置関係の他の例を表す図である。
【図８Ｂ】図６のカードの電極と、図６の接続部の電極との、背面側の位置関係の他の例を表す図である。
【図９】図１の接続部およびカードの構成の一変形例を表す図である。
【図１０】図９の曲げセンサの断面構成の一例を表す図である。
【図１１】図９の曲げセンサの断面構成の他の例を表す図である。
【図１２Ａ】図９のカードのうち、曲げセンサおよびその近傍の断面構成の一例を表す図である。
【図１２Ｂ】図９のカードのうち、曲げセンサおよびその近傍の平面構成の一例を表す図である。
【図１３Ａ】図９のカードのうち、抵抗およびその近傍の断面構成の一例を表す図である。
【図１３Ｂ】図９のカードのうち、抵抗およびその近傍の平面構成の一例を表す図である。
【図１４Ａ】図９のカードのうち、電極およびその近傍の断面構成の一例を表す図である。
【図１４Ｂ】図９のカードのうち、電極およびその近傍の平面構成の一例を表す図である。
【図１５Ａ】図９のカードのうち、電極およびその近傍の断面構成の他の例を表す図である。
【図１５Ｂ】図９のカードのうち、電極およびその近傍の平面構成の他の例を表す図である。
【図１６】図９のカードの製造方法の一例を表す流れ図である。
【図１７Ａ】図９のカードの製造方法の一例を表す平面図である。
【図１７Ｂ】図１７Ａに続く製造手順の一例を表す図である。
【図１７Ｃ】図１７Ｂに続く製造手順の一例を表す図である。
【図１７Ｄ】図１７Ｃに続く製造手順の一例を表す図である。
【図１８Ａ】図１７Ｄに続く製造手順の一例を表す図である。
【図１８Ｂ】図１７Ａに続く製造手順の一例を表す図である。
【図１８Ｃ】図１７Ｂに続く製造手順の一例を表す図である。
【図１８Ｄ】図１７Ｃに続く製造手順の一例を表す図である。
【図１９】図９のカードの一変形例を表す図である。
【図２０】図１９のカードの製造方法の一例を表す流れ図である。
【図２１Ａ】図１９のカードの製造方法の一例を表す平面図である。
【図２１Ｂ】図２１Ａに続く製造手順の一例を表す図である。
【図２１Ｃ】図２１Ｂに続く製造手順の一例を表す図である。
【図２２】図１の接続部およびカードの構成の他の変形例を表す図である。
【図２３】図９、図１９、図２２の曲げセンサに接続された配線の他の例を表す図である。
【図２４Ａ】図２３の曲げセンサの断面構成の一例を表す図である。
【図２４Ｂ】図２３の曲げセンサの平面構成の一例を表す図である。
【図２５Ａ】図９、図１９、図２２、図２３の曲げセンサの配置の一例を表す図である。
【図２５Ｂ】図９、図１９、図２２、図２３の曲げセンサの配置の一例を表す図である。
【図２５Ｃ】図９、図１９、図２２、図２３の曲げセンサの配置の一例を表す図である。
【図２５Ｄ】図９、図１９、図２２、図２３の曲げセンサの配置の一例を表す図である。
【図２６】図２、図３の情報処理プログラムを実行したときの手順の一例を表す流れ図である。
【図２７】図６のカードの第１変形例を表す図である。
【図２８】図１の情報処理ネットワークの概略構成の第１変形例を表す図である。
【図２９】図１の情報処理ネットワークの概略構成の第２変形例を表す図である。
【図３０】図６のカードの第２変形例を表す図である。
【図３１】図３０のカードを用いた情報処理ネットワークにおける情報処理装置の機能ブロックの一例を表す図である。
【図３２】図３０のカードを用いた情報処理ネットワークの概略構成の一例を表す図である。
【図３３Ａ】図３０のカードの内部構成の一例を表す図である。
【図３３Ｂ】図３０のカードの内部構成の一例を表す図である。
【図３４】図３０のカードを用いた情報処理ネットワークの概略構成の他の例を表す図である。
【発明を実施するための形態】
【００１５】
以下、発明を実施するための形態について、図面を参照して詳細に説明する。なお、説明は以下の順序で行う。
１．実施の形態
２．変形例
【００１６】
＜１．実施の形態＞
図１は、本技術の一実施の形態に係る情報処理ネットワーク１の概略構成を表したものである。情報処理ネットワーク１は、例えば、情報処理装置１０と、情報処理装置１０と有線または無線を介して接続される１または複数の接続部２０と、各接続部２０に１つずつ着脱可能に接続される１または複数のカード３０とを備えている。情報処理装置１０は、例えば、家庭用ゲーム機であってもよいし、ゲームセンターなどに置かれるアーケードゲーム機であってもよい。１または複数の接続部２０は、情報処理装置１０とは別体で設けられている。情報処理ネットワーク１は、さらに、例えば、情報処理装置１０とネットワークを介して通信を行うサーバ４０と、情報処理装置１０から出力された映像信号に基づいて映像を表示する表示装置５０とを備えている。上記のネットワークは、例えば、インターネットなどの外部ネットワークである。表示装置５０は、情報処理装置１０とは別体で設けられている。
【００１７】
図２は、情報処理装置１０の機能ブロックの一例を表したものである。情報処理装置１０は、例えば、制御部１１、記憶部１２、カード読取制御部１３、映像信号出力部１４、ネットワーク通信部１５および入力部１６を備えている。制御部１１は、記憶部１２、カード読取制御部１３、映像信号出力部１４、ネットワーク通信部１５および入力部１６とそれぞれ接続されている。なお、制御部１１は、本技術の「読取部」、「生成部」の一具体例に相当する。
【００１８】
制御部１１は、例えば、プログラムの命令を解釈し、実行するものであり、例えばＣＰＵ（Central Processing Unit ）によって構成されている。制御部１１は、情報処理プログラム１２Ａが所定の場所にロードされると、ロードされた情報処理プログラム１２Ａの命令を解釈し、実行する。
【００１９】
記憶部１２には、情報処理プログラム１２Ａおよび関連情報１２Ｂが記憶されている。情報処理プログラム１２Ａは、例えばゲームを実行するための一連の手順を制御部１１に実行させるためのものである。なお、例えばゲームを実行するための一連の手順の詳細については後述する。情報処理プログラム１２Ａは、あらかじめ記憶部１２に記憶されていてもよいが、例えば、ネットワーク通信部１５を介してサーバ４０からダウンロードされてもよい。関連情報１２Ｂは、例えばゲームを実行するための一連の手順を制御部１１に実行させる際に使用されるデータである。関連情報１２Ｂは、例えば、ネットワーク通信部１５を介してサーバ４０からダウンロードされる。なお、関連情報１２Ｂの詳細については後述する。
【００２０】
情報処理装置１０は、例えば、図３に示したように、記録媒体１８から情報を読み取ることの可能な読取部１７を有していてもよい。記録媒体１８が情報処理プログラム１２Ａを記憶している場合には、制御部１１は、記録媒体１８に含まれる情報処理プログラム１２Ａを読取部１７に読み取らせ、記憶部１２に記憶させることも可能である。また、制御部１１は、記録媒体１８に含まれる情報処理プログラム１２Ａを読取部１７に読み取らせ、所定の場所にロードすることにより、ロードされた情報処理プログラム１２Ａの命令を解釈し、実行することも可能である。
【００２１】
カード読取制御部１３は、カード３０内部の情報を読み取るための所定の電圧を接続部２０に印加するとともに、カード３０内部の情報を、接続部２０を介して取得する。カード読取制御部１３は、制御部１１からの制御信号（第１制御信号）に応じて、上記の所定の電圧を接続部２０に印加し、その結果、カード３０内部の情報を、接続部２０を介して取得する。第１制御信号は、カード３０内部の情報を読み出すための所定の電圧を接続部２０に対して印加させる信号である。
【００２２】
映像信号出力部１４は、例えば、制御部１１によって指定された映像信号を外部に出力する。映像信号出力部１４は、情報処理装置１０に表示装置５０が接続されている場合には、上記映像信号を表示装置５０に出力する。ネットワーク通信部１５は、制御部１１からの指示に応じて、インターネットなどの外部ネットワークを介して、外部ネットワークに接続された機器（例えば、サーバ４０）と通信を行う。入力部１６は、ユーザからの情報をデジタルデータとして情報処理装置１０内部に取り込むための装置で、例えば、キーボード、マウス、リモートコントローラ、またはタッチパネルなどで構成されている。
【００２３】
次に、関連情報１２Ｂについて説明する。図４は、関連情報１２Ｂの一例を表したものである。関連情報１２Ｂは、カード３０ごとに、またはカード３０の種類ごとに割り当てられた１または複数の固有情報１２Ｃと関連付けられた情報であり、本技術の「第１関連情報」の一具体例に相当する。なお、以下では、固有情報１２Ｃは、カード３０ごとに１つずつ割り当てられているものとする。
【００２４】
固有情報１２Ｂは、例えば、図４中に記載されているように、５進数の複数ビットで表現される。ビット数は、例えば、後述のスイッチＳＷ内の切り替え配線数と一致している。サーバ４０は、図４の右側に模式的に示したように、固有情報１２Ｃごとに関連付けられた多数のテーブル（関連情報１２Ｂ）を保存している。制御部１１は、ネットワーク通信部１５を介して、固有情報１２Ｃに対応する関連情報１２Ｂをサーバ４０から取得し、記憶部１２内に保存したり、所定の領域に格納したりする。
【００２５】
関連情報１２Ｂは、例えば、カード３０の曲げモードを含んでいる。曲げモードとは、例えば、図５Ａ〜図５Ｃに示したように、「曲げる」、「捻じる」、「弾く」など、ユーザがカード３０に対して行う動作を指している。関連情報１２Ｂでは、１つの曲げモードに対して１または複数のパラメータが関連付けられている。図４には、１つの曲げモードに対して、技、強さ及び音の３種類のパラメータが関連付けられている場合が例示されている。例えば、ユーザがカード３０に対して「曲げる」動作を行った場合、制御部１１は、それを、「曲げる」という１つの曲げモードの入力と判断する。その結果、制御部１１は、「曲げる」という１つの曲げモードに関連付けられた１または複数のパラメータを、関連情報１２Ｂから読み出す。
【００２６】
時間的に連続する複数の曲げモードに対しても、１または複数のパラメータが関連付けられていてもよい。例えば、ユーザがカード３０に対して「曲げる」動作を行ったのち、直ちに「捻じる」動作を行った場合、制御部１１は、それを、「曲げる」＋「捻じる」という、時間的に連続する２つの曲げモードの入力と判断する。その結果、制御部１１は、「曲げる」＋「捻じる」という、時間的に連続する２つの曲げモードに関連付けられた１または複数のパラメータを、関連情報１２Ｂから読み出す。なお、時間的に連続する２つの曲げモードに関連付けられた１または複数のパラメータは、本技術の「第２関連情報」の一具体例に相当する。
【００２７】
関連情報１２Ｂは、曲げモードとの関連付けのなされていないデータを含んでいてもよい。関連情報１２Ｂは、そのようなデータとして、例えば、固有情報１２Ｃの基礎データを示すパラメータを含んでいてもよい。図４には、そのようなパラメータとして、体力、防御力およびレベルが例示されている。また、関連情報１２Ｂにおいて、曲げモードの強弱に対して、１または複数のパラメータが関連付けられていてもよい。例えば、強く「曲げる」という曲げモードに対して、激しい効果音が関連付けられ、弱く「曲げる」という曲げモードに対して、優しい効果音が関連付けられていてもよい。
【００２８】
図６は、カード３０と、カード３０を着脱可能に接続する接続部２０の概略構成を表したものである。接続部２０は、例えば、カード３０を挿入するスロット２２と、スロット２２を介してカード３０を保持するカード保持部２１と、スロット２２内に設けられ、カード３０の複数の電極３３と接触する複数の電極２３とを有している。スロット２２は、カード３０の一辺の形状に対応した形状（例えば、細長い長方形状）の窪みであり、例えば、カード保持部２１の上面に設けられている。複数の電極２３は、１列に並んで配置されているか、または、所定の間隙を介して２列に並んで配置されている。「所定の間隙」とは、カード３０の電極３３を嵌合させることの可能な程度の隙間を指している。なお、複数の電極２３が１列に並んで配置されている場合、例えば、複数の電極２３から「所定の間隙」だけ離れた位置に、スロット２２の内面が配置されていてもよい。また、複数の電極２３が１列に並んで配置されている場合、例えば、各電極２３が、「所定の間隙」を有するＵ字型の形状となっていてもよい。
【００２９】
接続部２０は、さらに、例えば、ＩＤ読取回路２４および曲げ情報読取回路２５を有している。これらＩＤ読取回路２４および曲げ情報読取回路２５は、例えば、カード保持部２１の内部に設けられており、複数の電極２３と電気的に接続されている。接続部２０は、接続部２０が情報処理装置１０と有線接続される場合には、ケーブル２６を有している。
【００３０】
カード３０は、例えば、カードゲームで一般的に用いられる、トランプサイズのカードである。カード３０は、例えば、固有情報設定回路３１と、曲げセンサ３２と、複数の電極３３とを有している。固有情報設定回路３１は、外部（接続部２０）から電圧印加に応じて、カード３０の固有情報１２Ｂに対応する電圧を出力することが可能となっている。曲げセンサ３２は、カード３０の曲げの態様に応じた電圧を発生させることが可能となっている。固有情報設定回路３１および曲げセンサ３２については、後に詳述する。カード３０は、何らかの信号に応じて映像などを表示する機能を有しておらず、さらに、カード３０内の各構成要素に対して電力を供給する電源も有していない。
【００３１】
複数の電極３３は、カード３０の一端に、カード３０の端縁に沿って一列に並んで設けられており、複数の電極３３は、カード３０の表面３０Ａおよび裏面３０Ｂのうち少なくとも一方に設けられている。例えば、表面３０Ａ全体に、各カード３０共通の図柄が描かれており、裏面３０Ｂに、カード３０固有の情報や図柄が描かれている場合、複数の電極３３は、カード３０の表面３０Ａおよび裏面３０Ｂのうち少なくとも表面３０Ａに設けられている。カード３０の一方の面だけに複数の電極３３が設けられている場合、接続部２０の複数の電極２３は、スロット２２内に、少なくとも１列に並んで配置されている。また、カード３０の表面３０Ａおよび裏面３０Ｂの双方に複数の電極３３が設けられている場合、接続部２０の複数の電極２３は、スロット２２内に、「所定の間隙」を介して２列に並んで配置されているか、または、各電極２３が、「所定の間隙」を有するＵ字型の形状となっている。
【００３２】
例えば、図７Ａ、図７Ｂに示したように、表面３０Ａだけに複数の電極２３が設けられており、カード３０の複数の電極３３の形成位置と、接続部２０の複数の電極２３の形成位置とが互いに対応している場合には、接続部２０の複数の電極２３が、スロット２２内の１つの側面だけに１列だけ並んで配置されていることが好ましい。この場合、カード３０が表裏逆に挿し込まれたときに、カード３０の各電極３３が、接続部２０の各電極２３と接触しないので、カード３０内の情報が接続部２０によって誤認識されるのを防ぐことができる。
【００３３】
また、例えば、図８Ａ、図８Ｂに示したように、表面３０Ａおよび裏面３０Ｂの双方に複数の電極２３が設けられている場合には、カード３０の複数の電極３３の形成位置と、接続部２０の複数の電極２３の形成位置とが互いに対応していないことが好ましい。例えば、カード３０の複数の電極３３の形成位置と、接続部２０の複数の電極２３の形成位置とが、互い違いに配置されていることが好ましい。この場合にも、カード３０が表裏逆に挿し込まれたときに、カード３０の各電極３３が、接続部２０の各電極２３と接触しないので、カード３０内の情報が接続部２０によって誤認識されるのを防ぐことができる。
【００３４】
図９は、接続部２０およびカード３０の内部構成の一例を表したものである。接続部２０では、ＩＤ読取回路２４は、例えば、ＶＣＣ線と、複数入力１出力のスイッチＳＷと、抵抗Ｒと、ＩＤ検出線とを含んで構成されている。スイッチＳＷの出力側には、抵抗ＲとＩＤ検出線とが互いに並列接続されており、スイッチＳＷの入力側には、複数の電極２３（図９中の１，２，３，４，５）がスイッチＳＷの入力端子ごとに１つずつ接続されている。ＩＤ読取回路２４は、例えば、カード読取制御部１３からの制御信号に応じて、ＶＣＣ線を介して所定の電圧をカード３０に供給するとともに、スイッチＳＷをスイッチング動作させる。これにより、ＩＤ読取回路２４は、複数の電極２３（図９中の１，２，３，４，５）から出力されてくる複数の電圧（パラレルデータ）をシリアルの電圧Ｖａ（シリアルデータ）に変換してＩＤ検出線に出力する。カード読取制御部１３は、カード読取制御部１３は、例えば、ＩＤ読取回路２４から取得したアナログの電圧Ｖａをデジタルの電圧Ｖａ’に変換し、制御部１１に出力する。従って、制御部１１は、例えば、カード読取制御部１３および接続部２０を介して取得した電圧Ｖａ’（第２信号）から、カード３０の固有情報１２Ｃを読み取る。曲げ情報読取回路２５は、後述の曲げセンサ３２ごとに設けられている。曲げ情報読取回路２５は、例えば、１つの曲げセンサ３２と電気的に接続される２つの電極２３（図９中のＡ，Ｂ、またはＣ，Ｄ）に対して、１本ずつ接続された２本の配線を有している。曲げ情報読取回路２５は、例えば、図９中のＡ，Ｂに対応する２つの電極２３から出力されてくる２つの電圧Ｖｃ１，Ｖｄ１を、２本の配線を介してカード読取制御部１３に出力する。同様に、曲げ情報読取回路２５は、例えば、図９中のＣ，Ｄに対応する２つの電極２３から出力されてくる２つの電圧Ｖｃ２，Ｖｄ２を、２本の配線を介してカード読取制御部１３に出力する。カード読取制御部１３は、例えば、曲げ情報読取回路２５から取得したアナログの２つの電圧Ｖｃ１，Ｖｄ１の電位差（＝Ｖｃ１−Ｖｄ１）をデジタルの電圧ΔＶ１に変換し、制御部１１に出力する。同様に、カード読取制御部１３は、例えば、曲げ情報読取回路２５から取得したアナログの２つの電圧Ｖｃ２，Ｖｄ２の電位差（＝Ｖｃ２−Ｖｄ２）をデジタルの電圧ΔＶ２に変換し、制御部１１に出力する。従って、制御部１１は、例えば、カード読取制御部１３および接続部２０を介して取得した電圧ΔＶ１，ΔＶ２（第１信号）から、カード３０の曲げモードを読み取る。
【００３５】
一方のカード３０では、固有情報設定回路３１は、例えば、スイッチＳＷの入力側に接続された電極２３ごとに、配線抵抗の互いに異なる配線３１Ａが１本ずつ設けられた回路構成となっている。固有情報設定回路３１は、例えば、抵抗Ｒ１，Ｒ２，Ｒ３，Ｒ４の配線３１Ａと、抵抗の設けられていない配線３１Ａとを含んでいる。これら複数の配線３１Ａでは、一端が互いに異なる電極３３に接続されており、他端が互いに共通する電極３３に接続されている。つまり、固有情報設定回路３１は、例えば、配線抵抗の互いに異なる複数の配線３１Ａ（回路ブロック）が並列配置された並列回路を有している。ここで、Ａ種類の抵抗を形成できるものとし、Ａ種類から任意の抵抗値を選んでＸ桁の数列を作ることを考える。このとき、抵抗値がゼロの場合も勘案すると、（Ａ＋１）のＸ乗個の固有情報を形成することができる。
【００３６】
固有情報設定回路３１は、基板３４への印刷によって形成された印刷パターンである。つまり、配線３１Ａおよび抵抗Ｒ１，Ｒ２，Ｒ３，Ｒ４は、全て、印刷によって形成されている。配線３１Ａは、導電性ペーストをスクリーンプリントやオフセット印刷を用いて印刷することが可能である。また、抵抗Ｒ１，Ｒ２，Ｒ３，Ｒ４は、抵抗体ペーストをスクリーンプリントやオフセット印刷を用いて印刷することが可能である。
【００３７】
曲げセンサ３２は、カード３０に含まれる１または複数の基材のうちの１つの基材（第１基材）と平行に配置されている。曲げセンサ３２の上面に配線３２Ａ（第１配線）が電気的に接続されるとともに、曲げセンサ３２の下面（第２配線）にも別の配線３２Ａが電気的に接続されている。上面および下面に接続された２つの配線３２Ａは、それぞれ、互いに異なる電極３３に接続されている。
【００３８】
曲げセンサ３２は、カード３０に含まれる基材の湾曲と相関のある信号（第１信号）を出力する。曲げセンサ３２は、カード３０に含まれる基材の湾曲に伴って湾曲することにより曲げセンサ３２の上面と下面との間に電位差を発生する素子である。従って、曲げセンサ３２は、作動電流の供給は不要である。曲げセンサ３２は、例えば、図１０に示したように、高分子化合物膜３２−１の上下両面を電極膜３２−２，３２−３で挟み込んだＥＡＰ（Electroactive Polymer）素子であることが好ましい。図１０に示したＥＡＰ素子では、曲げ方向や曲げ量に相関関係のある電圧が出力されるので、曲げセンサ３２としてこのようなＥＡＰ素子がカード３０に設けられている場合には、カード３０の曲げ方向や曲げ量に相関関係のある電圧が曲げセンサ３２から出力される。
【００３９】
高分子化合物膜３２−１は、例えば、厚さ０．１ｍｍ〜０．２ｍｍ程度のイオン導電性樹脂のシートで構成されている。電極膜３２−２，３２−３は、例えば、厚さ４０ｎｍ程度の金属蒸着膜で構成されている。電極膜３２−２，３２−３は、例えば、導電性を有する粒子状の炭素粉末をイオン導電性樹脂に混ぜたものを塗布することにより形成されていてもよい。イオン導電性樹脂は、曲げが加えられると、イオン導電性樹脂内のイオン分布が偏り、電極間に電位差が生じる。
【００４０】
動作イオンには、水素イオン、ナトリウムイオン、リチウムイオンなどが適宜選ばれる。水素イオンを用いる場合には、イオン導電性樹脂を硫酸水溶液に浸すことでイオン導電性樹脂中の可動イオンが水素イオンに置換される。ナトリウムイオンを用いるときには、イオン導電性樹脂を食塩水に、リチウムイオンを用いるときは素子を塩化リチウム水溶液に浸すとよい。イオン導電性樹脂に曲げ応力を加えると、動作イオンが曲げの内側から外側に向かって移動する。動作イオンに陽イオンを用いた場合、素子の外側に陽イオンが多く分布することになり、その結果、外側の電極の電位が高くなる。逆側に曲げると、逆の電極の電位が高くなるので、曲げの方向を検出することができる。また、曲げの大きさが大きくなると、イオンの偏りも大きくなるので、２枚の電極間の電位差は大きくなる。このように、表裏２枚の電極間の電位差を検出することにより曲げ方向と曲げの大きさを同時に検出することができる。従来の抵抗変化を用いた曲げセンサ（ひずみゲージ、感圧ゴムなど）では、曲げの方向を検出できず、操作の制約を生んでいた。また、センサを動作させるためにセンサ自体に電流を流す必要があった。それに対して、イオン導電性樹脂では、動作のために電流を外部から流す必要がなく、また、曲げの方向を出力電圧の極性の反転として検出できるので、表側に曲げたときと裏側に曲げたときの制御部１１の応答を変えることができ、より複雑な操作が可能になる。またイオン導電性樹脂の特徴として、一定の曲げを与え続けた場合にも正しく曲げ量を検出し続けることができるので、ある操作を一定時間継続し続ける場合に有用である。従来の圧電効果を用いたセンサ（圧電素子）では、曲げ量の時間変化しか検出できなかった。とは言っても、曲げ量の時間変化がわかれば十分な場合には、曲げセンサ３２は、例えば、図１１に示したように、圧電体３２−４の上下両面を電極膜３２−２，３２−３で挟み込んだ圧電素子であってもよい。
【００４１】
曲げセンサ３２は、例えば、貼り合わせによってカード３０内に設置される。一方、曲げセンサ３２に接続する配線３２Ａは、印刷によって形成することが可能である。配線３２Ａは、配線３１Ａと同様、導電性ペーストをスクリーンプリントやオフセット印刷を用いて印刷することが可能である。
【００４２】
図１２Ａは、カード３０のうち、曲げセンサ３２およびその近傍の断面構成の一例を表したものである。図１２Ｂは、曲げセンサ３２の上面構成の一例を表したものである。図１３Ａは、カード３０のうち、固有情報設定回路３１内の抵抗Ｒ１およびその近傍の断面構成の一例を表したものである。図１３Ｂは、抵抗Ｒ１の上面構成の一例を表したものである。
【００４３】
カード３０は、２枚の基材３４，３５の間に、１または複数の曲げセンサ３２と、固有情報設定回路３１とを有している。つまり、１または複数の曲げセンサ３２と、固有情報設定回路３１とは、互いに同一層内に設けられている。１または複数の曲げセンサ３２と、固有情報設定回路３１とは、例えば、互いに共通の基材（具体的には、基材３４）上に設けられている。なお、１または複数の曲げセンサ３２と、固有情報設定回路３１とが、互いに同一層内に設けられている限りにおいて、互いに異なる基材上に設けられていてもよい。
【００４４】
曲げセンサ３２は、例えば、図１２Ａ、図１２Ｂに示したように、帯状の形状となっている。曲げセンサ３２が帯状となっていることにより、カード３０（または基材３４または基材３５）の曲げ、捻じり、弾きなどの検出感度を高めることができる。配線３２Ａが、曲げセンサ３２の下面のうちの一端側に、導電性接着剤３６（または、導電性テープ、ＡＣＦなど）を介して、電気的に接続されている。さらに、別の配線３２Ａが、曲げセンサ３２の上面のうちの他端側に、導電性接着剤３６（または、導電性テープ、ＡＣＦなど）を介して、電気的に接続されている。
【００４５】
抵抗Ｒ１は、例えば、図１３Ａ、図１３Ｂに示したように、帯状の形状となっている。抵抗Ｒ２，３，４についても、抵抗Ｒ１と同様に、例えば、帯状の形状となっている。抵抗Ｒ１，２，３，４が帯状となっていることにより、各抵抗Ｒ１，２，３，４の長さを変えたり、幅を変えたりすることにより、各抵抗Ｒ１，２，３，４の抵抗値を容易に互いに異ならせることができる。なお、各抵抗Ｒ１，２，３，４の厚さを変えることにより、各抵抗Ｒ１，２，３，４の抵抗値を互いに異ならせてもよい。配線３１Ａが、抵抗Ｒ１，２，３，４の下面のうちの一端側に、直接、接している。さらに、別の配線３１Ａが、抵抗Ｒ１，２，３，４の下面のうちの他端側に、直接、接している。
【００４６】
図１４Ａは、カード３０のうち、電極３３およびその近傍の断面構成の一例を表したものである。図１４Ｂは、電極３３の上面構成の一例を表したものである。各電極３３は、配線３１Ａ，３２Ａの形成されている基材３４の内面（基材３５側の面）に接して形成されている。また、各電極３３は、基材３４の端縁に配置されている。複数の電極３３は、基材３４の一辺の端縁に沿って、一列に並んで配置されている。複数の電極３３のうちの一部の電極３３（第１端子、第２端子）が配線３２Ａと、導電性接着剤３６（または、導電性テープ、ＡＣＦなど）を介して、電気的に接続されている。さらに、複数の電極のうちの一部の電極３３（第３端子）が配線３１Ａと、導電性接着剤３６（または、導電性テープ、ＡＣＦなど）を介して、電気的に接続されている。
【００４７】
基材３５は、例えば、図１４Ｂに示したように、各電極３３と対向する箇所に切り欠き３５Ａを有している。これにより、各電極３３の一方の面が、外部に露出する面を有している。さらに、例えば、図１５Ａ、図１５Ｂに示したように、基材３４が、各電極３３と対向する箇所に切り欠き３４Ａを有していてもよい。この場合には、各電極３３の両面が、外部に露出する面を有している。
【００４８】
次に、カード３０の製造方法の一例について説明する。図１６は、カード３０の製造手順の一例を示す流れ図である。図１７Ａ〜図１７Ｄ、図１８Ａ〜図１８Ｄは、カード３０の製造過程を順番に例示した平面図である。まず、基板３４上に、複数の配線３１Ａ，３２Ａを印刷する（ステップＳ１０１）（図１７Ａ）。例えば、導電性ペーストをスクリーンプリントやオフセット印刷を用いて印刷することにより、複数の配線３１Ａ，３２Ａを同時に印刷する。次に、配線３１Ａ同士の間隙に抵抗Ｒ１〜Ｒ４を印刷する（ステップＳ１０２）（図１７Ｂ）。このときは、抵抗体ペーストをスクリーンプリントやオフセット印刷を用いて印刷することにより、抵抗Ｒ１〜Ｒ４を印刷する。
【００４９】
次に、配線３２Ａの端部に導電性接着剤３６を印刷する（ステップＳ１０３）（図１７Ｃ）。このとき、導電性接着剤３６の代わりに、導電性テープや、ＡＣＦなどを用いてもよい。次に、下面が導電性接着剤３６に接するように、基材３４上に１または複数の曲げセンサ３２を設置する（ステップＳ１０４）（図１７Ｄ）。曲げセンサ３２の設置は、例えば、転写法などによって行うことが可能である。次に、曲げセンサ３２の上面と配線３２Ａとが互いに接するように導電性接着剤３６を印刷する（ステップＳ１０５）（図１８Ａ）。このとき、導電性接着剤３６の代わりに、導電性テープや、ＡＣＦなどを用いてもよい。
【００５０】
次に、複数の電極３３を設置する（ステップＳ１０６）（図１８Ｂ）。電極３３の設置は、例えば、転写法などによって行うことが可能である。次に、電極３３の上面と配線３２Ａ，３１Ａとが互いに接するように導電性接着剤３６を印刷する（ステップＳ１０７）（図１８Ｃ）。このとき、導電性接着剤３６の代わりに、導電性テープや、ＡＣＦなどを用いてもよい。最後に、各電極３３の表面を除く、上面全体に絶縁性接着剤３７を印刷したのち、絶縁性接着剤３７（１または複数の曲げセンサ３２および抵抗Ｒ１〜Ｒ４等）を間にして、基材３４と、切り欠き３５Ａを有する基材３５とを互いに貼り合わせる（ステップＳ１０８）（図１８Ｄ）。このようにして、カード３０が製造される。
【００５１】
なお、固有情報設定回路３１は、以下のような構成を採ることも可能である。図１９は、固有情報設定回路３１の一変形例を表したものである。図１９に記載の固有情報設定回路３１は、固有情報１２Ｃの桁数（例えば５つ）分の並列回路３１Ｂを有している。各並列回路３１Ｂは、１または複数の断線箇所を有する複数の回路ブロック３１Ｃが並列接続された並列回路と、１または複数の断線箇所のうちの全部または一部を導通させる導電性部材とを有している。導電性部材は、例えば、導電性ペーストで形成されている。
【００５２】
各並列回路３１Ｂにおいて、複数の回路ブロック３１Ｃが並列接続された回路が、全て同一レイアウトで構成されていてもよい。この場合、導電性部材の印刷箇所を任意に設定することにより、各並列回路３１Ｂの合成抵抗を任意に設定することができる。従って、図９に記載の固有情報設定回路３１と比べて、印刷コストを大幅に低減することができる。
【００５３】
次に、図１９に記載の固有情報設定回路３１の製造方法の一例について説明する。図２０は、図１９に記載の固有情報設定回路３１の製造手順の一例を示す流れ図である。図２１Ａ〜図２１Ｃは、図１９に記載の固有情報設定回路３１の製造過程を順番に例示した平面図である。まず、基板３４上に、１または複数の断線箇所３１Ｄと１つの間隙３１Ｆとを有する複数の回路ブロック３１Ｇが並列接続された並列回路３１Ｈを印刷する（ステップＳ２０１）（図２１Ａ）。次に、各並列回路３１Ｈ内の各間隙３１Ｆに抵抗Ｒａを印刷する（ステップＳ２０２）（図２１Ｂ）。このとき、各間隙３１Ｆに印刷抵抗Ｒａは全て、同一抵抗値となっていてもよい。また、並列回路３１Ｈごとに、印刷抵抗Ｒａの値を同一にしてもよい。最後に、各並列回路３１Ｈ内の所定の断線箇所３１Ｄを短絡するように、導電性インク３１Ｅを印刷する（ステップＳ２０３）（図２１Ｃ）。このようにして、図１９に記載の固有情報設定回路３１が製造される。
【００５４】
図２２は、接続部２０およびカード３０の内部構成の一変形例を表したものである。図２２のカード３０では、固有情報設定回路３１の回路構成が左右対称となっている。具体的には、固有情報設定回路３１に用いられる複数の電極３３のうち左右方向の中央に位置する電極３３以外の電極３３に接続された各配線３１の一端が、固有情報設定回路３１に用いられる複数の電極３３のうち左右方向の中央に位置する電極３３に接続された配線３１Ａ（配線３１Ｃ）に接続されている。なお、固有情報設定回路３１に用いられる抵抗Ｒ１〜Ｒ６の抵抗値は、レイアウトの対称性とは無関係であり、任意に設定可能である。また、図２２では、配線３１Ｃには抵抗が設けられていない場合が例示されているが、何らかの抵抗が設けられていてもよい。また、図２２では、固有情報設定回路３１のレイアウトが左右対称となっているが、左右対称でなくてもよい。
【００５５】
図２２のカード３０は、固有情報設定回路３１および曲げセンサ３２に用いない２つの電極３３を有している。その２つの電極３３（以下、「表裏検出電極３３Ａ」と称する。）が、一列に並んだ複数の電極３３のうちの中央とは異なる箇所であって、かつ、一列に並んだ複数の電極３３のうち左右対称となる２カ所に設けられている。２つの表裏検出電極３３Ａは、例えば、一列に並んだ複数の電極３３のうちの左右両端に１つずつ設けられている。２つの表裏検出電極３３Ａのうちの一方は、例えば、何らの配線にも接続されておらず、電気的にオープンになっている。２つの表裏検出電極３３Ａのうちの他方は、一端が配線３１Ｃと電気的に接続された配線３４Ａの他端に接続されている。従って、図２２に記載のカード３０を接続部２０に接続すると、２つの表裏検出電極３３Ａには、互いに異なる値の電圧が発生する。
【００５６】
一方の接続部２０は、表裏検出電極３３Ａごとに１つずつ表裏検出回路２７を有している。表裏検出回路２７は、例えば、表裏検出電極３３Ａと接続される電極２３と、所定の電位（例えばグラウンド電位）に設定される配線とに接続された抵抗Ｒを有している。表裏検出回路２７は、さらに、例えば、表裏検出電極３３Ａと接続される電極２３に接続された表裏検出線を有している。制御部１１は、２つの表裏検出回路２７のうちの一方に設けられた表裏検出線から得られる電圧Ｖｅと、２つの表裏検出回路２７のうちの他方に設けられた表裏検出線から得られる電圧Ｖｆとを対比し、例えば、その大小関係からカード３０の表裏を判定する。
【００５７】
なお、図９、図１９、図２２に記載のカード３０では、常に、曲げセンサ３２の両端部に配線３２Ａが接続されている。しかし、２本の配線３２Ａのうち上面に接続される配線３２Ａは、例えば、図２３に示したように、配線３２Ａの中央または、配線３２Ａののうち、下面に接続される配線３２Ａ寄りに接続されてもよい。配線３２Ａの中央または、配線３２Ａののうち、下面に接続される配線３２Ａ寄りに、配線３２Ａを接続する場合には、例えば、図２４Ａ、図２４Ｂに示したように、導電性接着剤３６を介して、曲げセンサ３２の上面に配線３２Ａが接続されてもよい。なお、導電性接着剤３６の代わりに、導電性テープや、ＡＣＦなどが用いられてもよい。
【００５８】
また、図９、図１９、図２２に記載のカード３０では、常に、２本の曲げセンサ３２がカード３０に設けられており、また、カード３０の左右両端縁に配置されている。しかし、例えば、図２５Ａ、図２５Ｂに示したように、３本の曲げセンサ３２がカード３０に設けられていてもよい。図２５Ｂに示したように、全ての曲げセンサ３０が、カード３０の端縁に設けられていてもよいが、図２５Ａに示したように、一部の曲げセンサ３０が、カード３０の端縁以外の箇所（例えば、カード３０中央）に設けられていてもよい。また、図２５Ｃに示したように、２本の曲げセンサ３２が互いに絶縁された状態で、互いに交差する位置に配置されていてもよい。また、曲げセンサ３２は、単なる帯状とは異なる形状となっていてもよい。例えば、図２５Ｄに示したように、曲げセンサ３２が、Ｘ形状となっていてもよい。
【００５９】
次に、ロードされた情報処理プログラム１２Ａの命令が制御部１１によって解釈され、実行されたときの情報処理装置１の動作について説明する。
【００６０】
図２６は、情報処理装置１の動作の手順の流れの一例を表したものである。従って、制御部１１は、図２６に示した動作の一部を省略したり、図２６に示した動作に、新たな動作を加えたりすることもあり得る。
【００６１】
まず、ユーザが、情報処理装置１の電源を入れる。すると、情報処理プログラム１２Ａがロードされ、情報処理プログラム１２Ａが起動する。制御部１１は、ロードされた情報処理プログラム１２Ａの命令に従って動作する。例えば、ユーザが入力部１６を介してスタートを要求する。すると、制御部１１は、カード３０を接続部２０に挿し込むことを要求する映像信号を生成し、映像信号出力部１４を介して、表示装置５０に送信する。その結果、表示装置５０の画面に、カード３０を接続部２０に挿し込み、カード３０を操作することを促す映像が表示される。
【００６２】
制御部１１は、それと同期して、第１制御信号を生成し（Ｓステップ３０１）、カード読取制御部１３に出力する。すると、カード読取制御部１３は、制御部１１からの第１制御信号に応じて、カード３０内部の情報を読み取るための所定の電圧（例えば、ＶＣＣ、スイッチＳＷの制御信号Ｖｂ）を接続部２０に印加する。これにより、例えば、ＶＣＣが接続部２０を介して固有情報設定回路３１に印加される。さらに、接続部２０およびカード３０が図２２に示したような表裏検出機構が設けられている場合には、例えば、ＶＣＣが接続部２０を介して裏表検出電極３３Ａにも印加される。
【００６３】
また、制御信号ＶｂによってスイッチＳＷがスイッチング動作を行うので、固有情報設定回路３１内の抵抗（Ｒ１〜Ｒ４、ゼロ）と、ＩＤ読取回路２４内の抵抗（Ｒ）とによって分圧された電圧ＶａがシリアルデータとしてＩＤ検出線に出力される。シリアルデータとしての電圧Ｖａは、例えば、５進数の数ビットに対応しており、カード３０の固有情報１２Ｃに相当する。さらに、接続部２０およびカード３０が図２２に示したような表裏検出機構が設けられている場合には、例えば、裏表検出電極３３Ａに接続された電極２３の電圧Ｖｅ，Ｖｆが表裏検出線に出力される。
【００６４】
このとき、ユーザがカード３０に対して、曲げなどの操作を行った場合には、所定の電圧が曲げ情報読取回路２５の２つの配線に出力される。ここで、曲げセンサ３２が図２５（Ｂ）に示した箇所に設けられている場合、各曲げ情報読取回路２５の２つの配線間の電位差Ｖ１，Ｖ２，Ｖ３は、以下のようになる。なお、電位差Ｖ１は、カード３０の左端の曲げセンサ３２から得られ、電位差Ｖ２は、カード３０の上端の曲げセンサ３２から得られ、電位差Ｖ３は、カード３０の右端の曲げセンサ３２から得られるものとする。電位差Ｖ１，Ｖ２，Ｖ３は、カード３０に対する操作内容に依って、以下のような特徴を有する。ただし、曲げセンサ３２は紙面奥側に凸となるように曲げたときに正の電圧を出力するものとする。また、曲げセンサ３２は、図１０に示したＥＡＰ素子である。
【００６５】
１．手前に曲げる
｜Ｖ１｜＝｜Ｖ３｜＞｜Ｖ２｜  かつ  Ｖ１＝Ｖ３＞０
２．奥側に曲げる
｜Ｖ１｜＝｜Ｖ３｜＞｜Ｖ２｜  かつ  Ｖ１＝Ｖ３＜０
３．右上の角を手前に捻じる
｜Ｖ１｜＜｜Ｖ２｜、｜Ｖ１｜＜｜Ｖ３｜  かつ  Ｖ２，Ｖ３＞０
４．左上の角を手前に捻じる
｜Ｖ３｜＜｜Ｖ１｜、｜Ｖ３｜＜｜Ｖ２｜  かつ  Ｖ１，Ｖ２＞０
５．手前への曲げを一気に解放する
−ｄＶ１／ｄｔ＞Ｔｈ  かつ  −ｄＶ３／ｄｔ＞Ｔｈ  （Ｔｈは閾値）
６．爪で右上の角を弾く
Ｖ２，Ｖ３のピーク時刻ｔｐ２，ｔｐ３よりもＶ１のピーク時刻ｔｐ１が遅い
【００６６】
上述の結果から、曲げセンサ３２としてポリマーアクチュエータを用いた場合には、３つの曲げセンサ３２は、上記のような種々の曲げの形態を検出することができる。従って、曲げセンサ３２の数をさらに増やせば、より複雑な曲げ操作を検出することも可能になる。
【００６７】
制御部１１は、例えば、シリアルデータとしての電圧Ｖａ’（第２信号）と、電圧Ｖｅ，Ｖｆと、電位差Ｖ１，Ｖ２，Ｖ３（第１信号）を接続部２０から読み出す（ステップＳ３０２）。このとき、制御部１１は、例えば、シリアルデータとしての電圧Ｖａ’からカード３０の固有情報１２Ｃを判別する。同様に、制御部１１は、例えば、電圧Ｖｅ，Ｖｆからカード３０の向きを判別する。さらに、制御部１１は、例えば、電位差Ｖ１，Ｖ２，Ｖ３から、カード３０の曲げの形態（曲げモード）を判別する。
【００６８】
続いて、制御部１１は、固有情報１２Ｃと関連付けられた関連情報１２Ｂ(第１関連情報を)を、ネットワーク通信部１５を介して、サーバ４０内のデータベースから読み出す。制御部１１は、例えば、固有情報１２Ｃが００００１となっていた場合、図４に示したように、サーバ４０内のデータベースから、固有情報１２Ｃが００００１の関連情報１２Ｂを読み出す。
【００６９】
次に、制御部１１は、例えば、所定の制御信号を生成する前に、いくつかの条件について検討を行う。具体的には、制御部１１は、１つのカード３０から取得された情報に、複数種類の第１信号が含まれているか否かを判定する（ステップＳ３０３）。仮に、ユーザが時間的に連続する複数の曲げモードを入力していた場合、１つのカード３０から取得された複数の第１信号には、複数種類の曲げモードに対応する情報が含まれている。この場合には、制御部１１は、１つのカード３０から取得された複数の第１信号から、複数種類の曲げモードを判別しているはずである。従って、制御部１１は、例えば、１つのカード３０から取得された複数の第１信号から、複数種類の曲げモードを判別した場合には、１つのカード３０から取得された情報に、複数種類の第１信号が含まれていると判定する。そして、制御部１１は、複数種類の第１信号に対応する「時間的に連続する複数の曲げモード」と関連付けられた第２関連情報を、例えば、既にサーバ４０から取得済みの関連情報１２Ｂ内から取得（抽出）する（ステップＳ３０４）。これを、図４を参照して説明すると、制御部１１は、例えば、ａ０１、ａ０２という２種類の曲げモードを判別した場合には、（ａ０１＋ａ０２）という「時間的に連続する複数の曲げモード」と関連付けられた情報（技ｂ０４、強さｃ０４、音ｄ０４）を、既にサーバ４０から取得済みの関連情報１２Ｂ内から取得（抽出）する。
【００７０】
次に、制御部１１は、複数のカード３０のうちの１つのカード３０である第１カードから取得した第１信号および第２信号を用いて所定の制御信号を生成する際に、接続部２０から取得した情報の中に、複数のカード３０のうちの第１カードとは異なる１または複数の第２カードから取得した情報が含まれているか否か判定する（ステップＳ３０５）。
【００７１】
仮に、２人のユーザがそれぞれ、接続部２０にカード３０を挿入していた場合、接続部２０から取得された情報の中には、当然に、２枚のカード３０の固有情報１２Ｃが含まれている。また、仮に、２人のユーザがそれぞれ、接続部２０にカード３０を挿入し、カード３０を操作していた場合、接続部２０から取得された情報の中には、２枚のカード３０の固有情報１２Ｃだけでなく、個々のカード３０から得られた１種類または複数種類の第１信号も含まれている。この場合には、制御部１１は、接続部２０から取得した情報の中に、複数のカード３０のうちの第１カードの固有情報１２Ｃとは異なる１または複数の固有情報１２Ｃ（固有情報１２Ｃ’）を検出したり、さらには、固有情報１２Ｃ’に対応するカード３０から取得された１種類または複数種類の第１信号から、１種類または複数種類の曲げモードを判別したりしているはずである。従って、制御部１１は、例えば、接続部２０から取得した情報の中から１または複数の固有情報１２Ｃ’を検出した場合には、接続部２０から取得した情報の中に、１または複数の第２カードから取得した情報が含まれていると判定し、検出した１または複数の固有情報１２Ｃ’を取得（抽出）する（ステップＳ３０６）。さらに、制御部１１は、例えば、固有情報１２Ｃ’に対応するカード３０から取得された１種類または複数種類の第１信号から、１種類または複数種類の曲げモードを判別した場合には、判別した１種類または複数種類の曲げモードを取得（抽出）する（ステップＳ３０６）。
【００７２】
次に、制御部１１は、第１信号および第２信号の取得タイミングまたは取得状況によって内容が変化し得るパラメータを用いるか否か判定する（ステップＳ３０７）。仮に、第１信号および第２信号の取得タイミングが、情報処理プログラム１２Ａによって設定された、通常のモードではない特殊モードのときであったとする。この場合には、制御部１１は、上記のパラメータに相当するモードが特殊モードであることを検出するはずである。従って、制御部１１は、例えば、上記のパラメータに相当するモードが特殊モードであることを検出した場合には、「モードが特殊モードなので、それを所定の制御信号の生成の際に用いる」と判定し、特殊モードを上記のパラメータとして取得する（ステップＳ３０８）。
【００７３】
そして、最後に、制御部１１は、上記の種々の条件を判断した上で取得した情報と、第１信号および第２信号と、固有情報１２Ｃと関連付けられた関連情報１２Ｂとに基づいて所定の制御信号を生成する（ステップＳ３０９）。具体的には、制御部１１は、第１信号、第２信号および関連情報１２Ｂの他に、第２関連情報も用いて、所定の制御信号を生成する。また、制御部１１は、第１信号、第２信号および関連情報１２Ｂの他に、１または複数の第２カードから取得した情報も用いて、所定の制御信号を生成する。また、制御部１１は、第１信号、第２信号および関連情報１２Ｂの他に、第１信号および第２信号の取得タイミングまたは取得状況によって内容が変化し得るパラメータも用いて、所定の制御信号を生成する。なお、制御部１１は、上記の種々の条件のうち、少なくとも１つを省略することができる。従って、制御部１１は、上記のいずれの条件についても判断を省略し、第１信号および第２信号と、固有情報１２Ｃと関連付けられた関連情報１２Ｂとに基づいて所定の制御信号を生成することもある。
【００７４】
次に、効果について説明する。
【００７５】
本実施の形態のカード３０では、基材３４の湾曲と相関のある信号が外部（接続部）からの電圧印加に応じて１または複数の曲げセンサ３２から出力され、固有情報１２Ｃに関する信号が外部（接続部）からの電圧印加に応じて固有情報設定回路３１から出力される。このように、本実施の形態のカード３０では、外部（接続部）から電圧を印加することでカード３０内部から、カード３０の曲げ情報と固有情報１２Ｃを読み出すことができる。これにより、カード内部からの情報読出しにＲＦＩＤやバーコードは必要ない。従って、安価で、デザインの制約の少ないカード３０を実現することができる。
【００７６】
また、本実施の形態の情報処理装置１０および情報処理プログラム１２Ａでは、カード３０に対して所定の電圧を印加することでカード３０内部から、カード３０の曲げ情報と固有情報１２Ｃが読み出され、読み出されたそれらの情報を用いて所定の制御信号が生成される。これにより、カード３０内部からの情報読み出しに際して、ＲＦＩＤと通信したり、バーコードをカメラで読み取ったりする必要がない。従って、カードを用いた安価な情報処理を実現することができる。
【００７７】
また、本実施の形態では、カード３０に含まれる固有情報１２Ｃだけでなく、固有情報１２Ｃと、カード３０の曲げ方向や曲げの大きななどとを互いに組み合わせて操作命令とすることができる。これにより、カード３０に含まれる固有情報１２Ｃだけを用いていた場合と比べて、操作の複雑性やゲーム展開のバリエーションを広げることができる。また、本実施の形態では、カード３０を曲げたりすることで、ゲームを操作することができるので、例えば、カードの絵柄と、情報処理装置１０の応答がよりダイレクトに関連付けられ、より没入感の高いゲーム体験を提供することができる。
【００７８】
＜２．変形例＞
以上、実施の形態を挙げて本技術を説明したが、本技術は上記実施の形態に限定されるものではなく、種々変形が可能である。
【００７９】
上記実施の形態において、例えば、図２７に示したように、固有情報設定回路３１の代わりに、情報処理プログラム１２Ａや関連情報１２Ｂなどの情報を記憶させるメモリＩＣ３８がカード３０の内部に設けられていてもよい。メモリＩＣ３８は、例えば、曲げセンサ３２と同一層内に設けられている。メモリＩＣ３８は、例えば、曲げセンサ３２と共通の基材３４上に設けられている。本変形例では、メモリＩＣ３８内の固有情報１２Ｃを書き変えたり、メモリＩＣ３８内に関連情報１２Ｂを記憶しておいたりすることができる。また、本変形例では、メモリＩＣ３８内にカードの曲げ動作履歴や曲げ動作回数を記憶しておいて、接続部２０にカードを接続したときにそれを読み出すこともできる。従って、ゲームの展開のバリエーションをより一層、広げることができる。
【００８０】
また、例えば、上記実施の形態およびその変形例において、基材３５が省略され、カード３０に含まれる基材が基材３４だけとなってもよい。この場合、固有情報設定回路３１や、曲げセンサ３２が形成されている面がデザイン面となるが、固有情報設定回路３１は印刷で形成することができるし、曲げセンサ３２には、形状に制約がほとんどないので、固有情報設定回路３１や曲げセンサ３２の形状やレイアウトを工夫することにより、デザイン面での制約を低減することが可能である。
【００８１】
また、上記実施の形態およびその変形例において、例えば、図２８に示したように、１または複数の接続部２０が、情報処理装置１０と一体に設けられていてもよい。また、上記実施の形態およびその変形例において、例えば、図２９に示したように、１または複数の接続部２０だけでなく、表示装置５０までもが、情報処理装置１０と一体に設けられていてもよい。これらのようにした場合、例えば、１または複数の接続部２０の配置を工夫するなどして、ゲームの展開のバリエーションをより一層、広げることができる。
【００８２】
上記実施の形態およびその変形例において、例えば、図３０に示したように、固有情報設定回路３１またはメモリＩＣ２８の代わりに、制御ＩＣ３９Ａにアンテナ３９Ｂが接続されたＲＦ−ＩＤ（Radio Frequency Identification）がカード３０の内部に設けられていてもよい。制御ＩＣ３９Ａは、アンテナ３９Ｂを介してＲＦ−ＩＤ通信部１９と通信（無線通信）することが可能となっている。制御ＩＣ３９Ａは、さらに、固有情報１２Ｃなどを記憶する記憶部を有している。このとき、情報処理装置１０は、例えば、図３１に示したように、ＲＦ−ＩＤと通信可能なＲＦ−ＩＤ通信部１９を有している。ＲＦ−ＩＤ通信部１９は、例えば、図３２に示したように、アンテナ３９Ｂを介して制御ＩＣ３９Ａと通信（無線通信）することが可能となっている。ＲＦ−ＩＤ通信部１９は、情報処理装置１０と一体に形成されていてもよいし、情報処理装置１０とは別体で（つまり外付けタイプとして）形成されていてもよい。
【００８３】
アンテナ３９Ｂは、例えば、アンテナコイルで構成されている。ＲＦ−ＩＤは、例えば、曲げセンサ３２と同一層内に設けられている。ＲＦ−ＩＤは、例えば、曲げセンサ３２と共通の基材３４上に設けられている。曲げセンサ３２は、例えば、図３３Ａに示したように、アンテナ３９Ｂの周囲（外周部分）に配置されていてもよいし、例えば、図３２Ｂに示したように、アンテナ３９Ｂの開口部分に配置されていてもよい。
【００８４】
本変形例では、制御ＩＣ３９Ａ内の固有情報１２Ｃを書き変えたり、制御ＩＣ３９Ａ内に関連情報１２Ｂを記憶しておいたりすることができる。また、本変形例では、制御ＩＣ３９Ａ内にカードの曲げ動作履歴や曲げ動作回数を記憶しておいて、接続部２０にカードを接続したときにそれを読み出すこともできる。従って、ゲームの展開のバリエーションをより一層、広げることができる。
【００８５】
上記実施の形態およびその変形例において、例えば、図３３に示したように、表示装置５０が情報処理装置１０と一体に設けられていてもよい。このようにした場合、例えば、１または複数の接続部２０の配置を工夫するなどして、ゲームの展開のバリエーションをより一層、広げることができる。
【００８６】
また、例えば、本技術は以下のような構成を取ることができる。
（１）
１または複数の基材と、
前記１または複数の基材のうちの１つの基材である第１基材と平行に配置され、前記第１基材の湾曲と相関のある第１信号を出力する１または複数のセンサと、
前記１または複数の基材のうちの１つの基材である第２基材上に配置され、固有情報に関する第２信号を、外部からの電圧印加に応じて出力する回路と
を備えたカード。
（２）
前記１または複数のセンサと、前記回路とは、互いに同一層内に設けられている
（１）に記載のカード。
（３）
前記複数の基材を備え、
前記第１基材と前記第２基材とは、同一であり、
前記複数の基材のうちの前記第１基材および前記第２基材を除く少なくとも１つの基材が、前記１または複数のセンサおよび前記回路の上面を覆っている
（１）または（２）に記載のカード。
（４）
各センサは、前記第１基材の湾曲に伴って湾曲することにより当該センサの上面と下面との間に電位差を生じる素子であり、
当該カードは、
前記上面に電気的に接続された第１配線と、
前記下面に電気的に接続された第２配線と、
前記第１配線に電気的に接続されるとともに前記第１基材の端縁に配置された第１端子と、
前記第２配線に電気的に接続されるとともに前記第１基材の端縁に配置された第２端子と
を備えた
（１）ないし（３）にいずれか１つに記載のカード。
（５）
前記回路は、前記第２基材への印刷によって形成された印刷パターンであり、
当該カードは、前記印刷パターンに電気的に接続されるとともに前記第２基材の端縁に配置された複数の第３端子を備えた
（１）ないし（４）にいずれか１つに記載のカード。
（６）
前記回路は、
１または複数の断線箇所を有する複数の回路ブロックが並列接続された並列回路と、
前記１または複数の断線箇所のうちの全部または一部を導通させる導電性部材と
を有する
（５）に記載のカード。
（７）
前記回路は、抵抗値の互いに異なる複数の回路ブロックが並列接続された並列回路を有する
（５）に記載のカード。
（８）
基材の湾曲と相関のある第１信号を出力する１または複数のセンサを備えた１または複数のカードと着脱可能に接続される１または複数の接続部を介して前記第１信号を読み取る読取部と、
前記読取部で読み取られた前記第１信号に基づいて所定の制御信号を生成する生成部と
を備えた
情報処理装置。
（９）
前記１または複数のカードは、固有情報に関する第２信号を外部からの電圧印加に応じて出力する回路を備え、
前記読取部は、前記１または複数の接続部を介して前記第２信号を読み取り、
前記生成部は、前記第１信号および前記第２信号と、前記固有情報と関連付けられた第１関連情報とに基づいて前記所定の制御信号を生成する
請求項８に記載の情報処理装置。
（１０）
前記生成部は、前記１つのカードから取得された情報に、複数種類の前記第１信号が含まれている場合には、前記複数種類の第１信号と関連付けられた第２関連情報も用いて、前記所定の制御信号を生成する
（８）または（９）に記載の情報処理装置。
（１１）
前記生成部は、前記複数のカードのうちの１つのカードである第１カードから取得した前記第１信号を用いて前記所定の制御信号を生成する際に、前記複数のカードのうちの前記第１カードとは異なる１または複数の第２カードから取得した情報も用いて、前記所定の制御信号を生成する
（８）ないし（１０）にいずれか１つに記載の情報処理装置。
（１２）
前記生成部は、前記第１信号の取得タイミングまたは取得状況によって内容が変化し得るパラメータも用いて、前記所定の制御信号を生成する
請求項８に記載の情報処理装置。
（８）ないし（１１）にいずれか１つに記載の情報処理装置。
（１３）
前記１または複数の接続部は、前記読取部および前記生成部とは別体で設けられている
（８）ないし（１２）にいずれか１つに記載の情報処理装置。
（１４）
基材の湾曲と相関のある第１信号を出力する１または複数のセンサを備えた１または複数のカードと着脱可能に接続される１または複数の接続部を介して前記第１信号を読み取ることと、
読み取った前記第１信号に基づいて所定の制御信号を生成すること
をコンピュータに実行させる
情報処理プログラム。
（１５）
前記１または複数のカードは、固有情報に関する第２信号を外部からの電圧印加に応じて出力する回路を備え、
当該情報処理プログラムは、
前記１または複数の接続部を介して前記前記１または複数のカードに対して所定の電圧を印加させて前記第２信号を読み取ることと、
読み取った前記第１信号および前記第２信号に基づいて前記所定の制御信号を生成すること
をコンピュータに実行させる
請求項１４に記載の情報処理装置。
（１６）
前記１つのカードから取得された情報に、複数種類の前記第１信号が含まれている場合には、前記複数種類の第１信号と関連付けられた第２関連情報も用いて、前記所定の制御信号を生成することをコンピュータに実行させる
（１４）または（１５）に記載の情報処理プログラム。
（１７）
前記複数のカードのうちの１つのカードである第１カードから取得した前記第１信号および前記第２信号を用いて前記所定の制御信号を生成する際に、前記複数のカードのうちの前記第１カードとは異なる１または複数の第２カードから取得した情報も用いて、前記所定の制御信号を生成することをコンピュータに実行させる
（１４）ないし（１６）にいずれか１つに記載の情報処理プログラム。
（１８）
前記第１信号および前記第２信号の取得タイミングまたは取得状況によって内容が変化し得るパラメータも用いて、前記所定の制御信号を生成することをコンピュータに実行させる
（１４）ないし（１７）にいずれか１つに記載の情報処理プログラム。
【符号の説明】
【００８７】
１…情報処理ネットワーク、１０…情報処理装置、１１…制御部、１２…記憶部、１２Ａ…情報処理プログラム、１２Ｂ…関連情報、１２Ｃ…固有情報、１３…カード読取制御部、１４…映像信号出力部、１５…ネットワーク通信部、１６…入力部、１７…読取部、１８…記録媒体、１９…ＲＦ−ＩＤ通信部、２０…接続部、２１…カード保持部、２２…スロット、２３…電極、２４…ＩＤ読取回路、２５…曲げ情報読取回路、２６…ケーブル、２７…表裏検出電極、３０…カード、３０Ａ…表面、３０Ｂ…裏面、３１…固有情報設定回路、３１Ａ，３２Ａ…配線、３１Ｂ，３１Ｈ…並列回路、３１Ｃ，３１Ｇ…回路ブロック、３１Ｄ…断線箇所、３１Ｅ…導電性インク、３１Ｆ…間隙、３１−１…高分子化合物膜、３１−２，３１−３…電極膜、３１−４…圧電体、３２…曲げセンサ、３３…電極、３３Ａ…表裏検出電極、３４，３５…基材、３４Ａ，３５Ａ…切り欠き、３６…導電性接着剤、３７…絶縁性接着剤、３８…メモリＩＣ、３９Ａ…制御ＩＣ、３９Ｂ…アンテナ、４０…サーバ、５０…表示装置。
【図１】
2014119780.tif 000003
【図２】
2014119780.tif 000004
【図３】
2014119780.tif 000005
【図４】
2014119780.tif 000006
【図５Ａ】
2014119780.tif 000007
【図５Ｂ】
2014119780.tif 000008
【図５Ｃ】
2014119780.tif 000009
【図６】
2014119780.tif 000010
【図７Ａ】
2014119780.tif 000011
【図７Ｂ】
2014119780.tif 000012
【図８Ａ】
2014119780.tif 000013
【図８Ｂ】
2014119780.tif 000014
【図９】
2014119780.tif 000015
【図１０】
2014119780.tif 000016
【図１１】
2014119780.tif 000017
【図１２Ａ】
2014119780.tif 000018
【図１２Ｂ】
2014119780.tif 000019
【図１３Ａ】
2014119780.tif 000020
【図１３Ｂ】
2014119780.tif 000021
【図１４Ａ】
2014119780.tif 000022
【図１４Ｂ】
2014119780.tif 000023
【図１５Ａ】
2014119780.tif 000024
【図１５Ｂ】
2014119780.tif 000025
【図１６】
2014119780.tif 000026
【図１７Ａ】
2014119780.tif 000027
【図１７Ｂ】
2014119780.tif 000028
【図１７Ｃ】
2014119780.tif 000029
【図１７Ｄ】
2014119780.tif 000030
【図１８Ａ】
2014119780.tif 000031
【図１８Ｂ】
2014119780.tif 000032
【図１８Ｃ】
2014119780.tif 000033
【図１８Ｄ】
2014119780.tif 000034
【図１９】
2014119780.tif 000035
【図２０】
2014119780.tif 000036
【図２１Ａ】
2014119780.tif 000037
【図２１Ｂ】
2014119780.tif 000038
【図２１Ｃ】
2014119780.tif 000039
【図２２】
2014119780.tif 000040
【図２３】
2014119780.tif 000041
【図２４Ａ】
2014119780.tif 000042
【図２４Ｂ】
2014119780.tif 000043
【図２５Ａ】
2014119780.tif 000044
【図２５Ｂ】
2014119780.tif 000045
【図２５Ｃ】
2014119780.tif 000046
【図２５Ｄ】
2014119780.tif 000047
【図２６】
2014119780.tif 000048
【図２７】
2014119780.tif 000049
【図２８】
2014119780.tif 000050
【図２９】
2014119780.tif 000051
【図３０】
2014119780.tif 000052
【図３１】
2014119780.tif 000053
【図３２】
2014119780.tif 000054
【図３３Ａ】
2014119780.tif 000055
【図３３Ｂ】
2014119780.tif 000056
【図３４】
2014119780.tif 000057